(57)【要約】【課題】用紙の重なりを揃えたうえで該用紙束に対し綴じ、折り、孔あけ等の処理を行う用紙処理装置において、重なりに不揃いがあった場合に、処理を行わずに排出させ用紙の再利用を可能にする。【解決手段】送り込まれた用紙或いは用紙束の１辺が当接することにより位置決めする綴じストッパ７とその対辺を叩いて用紙を揃える側辺ジョガー17とを有する処理装置において、叩いた辺に不揃い用紙があるか否かを検知する後端辺不揃い検知センサ３を設け、ジョグ動作が終わった後に不揃いが有るか否かを判別し、不揃いがある場合には、綴じ、折り、孔あけ等の処理を行わせないようにする制御手段を設け、処理を行わないまま用紙束を搬送して第２の排出口15から排出させる。不揃いがない場合には処理を行った用紙束を第１の排出口14から排出させる。【選択図】図１
2010076870.tif 000002
【特許請求の範囲】
【請求項１】
用紙を送り込む用紙送り込み部と、送り込まれた用紙を一時載置し、処理後に搬送する搬送部と、該搬送部へ送り込まれた用紙の先端辺が当接して停止するストッパと、用紙の送り込み後端辺を叩いて揃えるジョガーと、前記搬送部上に予め定められた枚数の用紙が積載された後にこれを綴じるステッチャーとを備える用紙綴じ装置であって、前記ジョガーの叩き揃え動作が終わった後に不揃い用紙がある場合、これを光線の遮断により検知する不揃い検知手段と、該不揃い検知手段が不揃いを検知したときにはその検知信号を受けて前記ステッチャーの綴じ動作を行わせないようにする制御部を具備することを特徴とする用紙綴じ装置。
【請求項２】
用紙束を送り込む用紙束送り込み部と、送り込まれた用紙束を一時載置し、綴じ処理後に搬送する搬送部と、該搬送部へ送り込まれた用紙束の先端辺が当接して停止するストッパと、用紙束の送り込み後端辺を叩いて用紙を揃えるジョガーと、叩き揃えた後用紙束を綴じるステッチャーとを備える用紙綴じ装置であって、前記ジョガーの叩き揃え動作が終わった後に、不揃い用紙がある場合、これを光線の遮断により検知する不揃い検知手段と、該不揃い検知手段が不揃いを検知したときには、その検知信号を受けて前記ステッチャーの綴じ動作を行わせないようにする制御部を具備することを特徴とする用紙綴じ装置。
【請求項３】
請求項２記載の用紙綴じ装置において、用紙束の送り込み後端辺を叩いて用紙を揃えるジョガーに代えて用紙束の送り込み方向側辺を叩いて用紙を揃えるジョガーを具備することを特徴とする用紙綴じ装置。
【請求項４】
請求項１又は請求項２の用紙綴じ装置に加えて、搬送部から送り込まれて来た用紙束を受けて、その折り処理を行うときには綴じ位置を中心に２つ折りして第１の排出口へ出力し、折り処理を行わないときは第２の排出口へそのまま排出させる折り装置を有するとともに、制御部がステッチャーの綴じ動作を行わせないときには折り装置にも折り処理を行わせないようにするものであることを特徴とする用紙綴じ折り装置。
【請求項５】
用紙を送り込む用紙送り込み部と、送り込まれた用紙を一時載置し、処理後に搬送する搬送部と、該搬送部へ送り込まれた用紙の先端辺が当接して停止するストッパと、用紙の送り込み後端辺を叩いて揃えるジョガーと、前記搬送部上に予め定められた枚数の用紙が積載された後にこれに孔明けをするパンチャーとを備える用紙穿孔装置であって、前記ジョガーの叩き揃え動作が終わった後に不揃い用紙がある場合、これを光線の遮断により検知する不揃い検知手段と、該不揃い検知手段が不揃いを検知したときにはその検知信号を受けて前記パンチャーの穿孔動作を行わせないようにする制御部を具備することを特徴とする用紙穿孔装置。
【請求項６】
用紙束を送り込む用紙束送り込み部と、送り込まれた用紙束を一時載置し、処理後に搬送する搬送部と、該搬送部へ送り込まれた用紙束の先端辺が当接して停止するストッパと、用紙束の送り込み後端辺を叩いて用紙を揃えるジョガーと、叩き揃えた後用紙束に孔明けをするパンチャーとを備える用紙穿孔装置であって、前記ジョガーの叩き揃え動作が終わった後に、不揃い用紙がある場合、これを光線の遮断により検知する不揃い検知手段と、該不揃い検知手段が不揃いを検知したときには、その検知信号を受けて前記パンチャーの穿孔動作を行わせないようにする制御部を具備することを特徴とする用紙穿孔装置。
【請求項７】
請求項６記載の用紙穿孔装置において、用紙束の送り込み後端辺を叩いて用紙を揃えるジョガーに代えて用紙束の送り込み方向側辺を叩いて用紙を揃えるジョガーを具備することを特徴とする用紙穿孔装置。
【発明の詳細な説明】
【技術分野】
【０００１】
本発明は、用紙束に対し、綴じ、折り、穿孔等の各種処理を施す場合において、用紙束の用紙の重なりが揃っていない状態では各処理を行わせないようにして、不揃いのまま綴じられたり、折られたり或いは穿孔されたりすることのないようにする技術分野に属する。
【背景技術】
【０００２】
図８は、従来の用紙束の折り装置において、用紙束の用紙の重なりが揃っていない場合に、その不揃いを検知して折り処理を行わせないようにした例の手段構成図である。
用紙束は、右から送り込まれ搬送ベルト４２で左方へ搬送され、先端が位置決めストッパ４４に当接して停止し、下から突き上げる折りナイフ８と１対の折りローラ４１によって折りが形成される。
位置決めストッパ４４の位置は、用紙束の折りを目点が丁度、折りナイフ８の上に来るように設定されている。この位置調整はストッパ移動用モータ４６を回転させてストッパ送りねじ４５を回転させることにより行われる。
この装置においては、折りローラ４１より右の方の部分が不揃い検知装置を構成している。
【０００３】
その構成は、用紙束の後端の僅か右に用紙検出器４７を設け搬送ベルト４２を挟んで対向する位置に搬送ローラ５０が設けられている。この搬送ローラ５０は搬送方向に前進後退できるように搬送ローラ移動ベルト５１に保持されており、このベルトはプーリに掛け渡され左側のプーリは搬送ローラ移動用モータ５２によって回転駆動されるようになっている。
【０００４】
なお、用紙検出器４７の位置も用紙束の寸法に応じて変えられるように検出器送りねじ４８、検出器移動用モータ４９によって移動が可能となっている。
用紙検出器４７は、その上に用紙が存在するときは電気信号を出力するようになっている。
従って、用紙束が搬送ベルトによって右の方から搬送されてきて、その先端が用紙検出器４７の上に達すると信号が出力され、その信号は用紙束が用紙検出器４７の上を通過している間は出力し続け用紙の先端がストッパに当接して停止し、後端が僅かに用紙検出器４７の左に入ったときに信号出力はなくなる。
【０００５】
従って、搬送ベルト４２の搬送速度か定まっていれば、信号出力継続時間は定まった値となる。そこでこの時間を図示されていない制御装置に記憶させておき、以後、用紙束が搬送されて来たときに、用紙検出器の信号出力継続時間を計測し、この計測時間が記憶値を越えて継続する場合には、正規の後端位置からはみ出している用紙があるということになり不揃いが検知されたことになる。従って、この場合には、その用紙束に対して折り動作を行わせないようにする。
【０００６】
これに対して計測時間が記憶値以下である場合には、用紙の後端は、用紙検出器４７の左側にあり、用紙の不揃いがないように思われるが、用紙束が既に搬送方向幅の例えば中央で綴じられている場合には、搬送ローラの回転により、本来後方へはみ出している不揃い紙が図８のように撓められて左方へ押し込まれ用紙検出器４７の上に存在しないということが生じ得る。
【０００７】
その場合には、計測値は記憶値以下とはなるが、不揃いがあるわけであるからこれを検知しなければならない。
そのため、この装置では搬送ローラを図８の位置よりも右方の所定位置まで、搬送ローラ移動用モータ５２を回転させ搬送ローラ移動ベルト５１を回すことによって移動させる。
そうすると撓んでいた不揃い用紙の撓みが伸びて用紙検出器４７の上にかかり信号を出力するので、不揃いがあるということが分かり、この用紙束の折り動作を行わせないようにすることができる。
【０００８】
これに対して、計測値が記憶値以下であり、且つ搬送ローラ５０を上記のように移動させても用紙検出器４７から信号が出力されない場合には、不揃いがないことを示していることになるので折り動作を行わせるということになる（例えば、特許文献１参照）。
【特許文献１】特開２００７−２７６９２１号公報（段落［００１２］〜［００１４］、図１〜図３）。
【発明の開示】
【発明が解決しようとする課題】
【０００９】
しかしながら、上記従来装置の構成では、不揃いがないと判断するためには、用紙検出器出力信号の継続時間が制御装置に予め記憶させてある記憶値以下であるということだけでは足らず、搬送ローラを所定位置まで移動させてなお且つ用紙検出器の出力信号がないということを確認しなければならず、そのためにモータや搬送ローラ移動ベルトやそれを掛け渡すプーリや、これら全体を保持する機構等が必要となり、装置構成が複雑になるという問題がある。
【００１０】
更に、この不揃い検知方法は、用紙検出器の後方に出ている用紙が搬送ローラによって撓むということが前提となっているが、撓むということは用紙束が既に綴じられていることを意味する。何故なら、綴じられていなければ、後方へはみ出している不揃い用紙も搬送ローラによって前方へ押しやられ、結局は揃ってしまうからである。
【００１１】
しかし、綴じられているためにその用紙の一部がストッパに当接すれば、その用紙束全体はそれ以上前方に進むことができず、後方へ不揃いに出ている用紙も勿論前進することができないが、その後端と搬送ローラによって押されると撓んでその後端は用紙検出器よりも左になり、出力信号がなくなってしまうので、搬送ローラを後退させ、撓んでいる用紙があれば、それが伸びて用紙検出器にかかり出力信号が出て不揃い用紙があることを知らしめるようになっているのである。結局、この不揃い検知装置は、用紙不揃いのまま綴じてしまった用紙束の検出装置ということであり、綴じる前の用紙束の不揃い検知ではない。
【００１２】
このように、綴じる前の不揃い検知ではなく、綴じてしまった後での不揃い検知で、不揃いのものを除去するというのであるから用紙が無駄になるか綴じ直しの手間がかかるという問題がある。
【００１３】
本発明の課題は、上記背景技術の問題点に鑑みて、用紙束を綴じたり、綴じ折りしたり、用紙束に孔をあけたり、するなどの処理を行う前に用紙束の不揃いを簡単な構成で検知し、不揃いを検知した場合には、処理を行わせないようにして、無駄や手間を省く用紙綴じ装置、用紙綴じ折り装置、用紙穿孔装置等を実現することにある。
【課題を解決するための手段】
【００１４】
本発明は、上記の課題を解決するために、以下の各構成を有する。
本発明の第１の構成は、用紙を送り込む用紙送り込み部と、送り込まれた用紙を一時載置し、処理後に搬送する搬送部と、該搬送部へ送り込まれた用紙の先端辺が当接して停止するストッパと、用紙の送り込み後端辺を叩いて揃えるジョガーと、前記搬送部上に予め定められた枚数の用紙が積載された後にこれを綴じるステッチャーとを備える用紙綴じ装置であって、前記ジョガーの叩き揃え動作が終わった後に不揃い用紙がある場合、これを光線の遮断により検知する不揃い検知手段と、該不揃い検知手段が不揃いを検知したときにはその検知信号を受けて前記ステッチャーの綴じ動作を行わせないようにする制御部を具備することを特徴とする用紙綴じ装置である。
【００１５】
本発明の第２の構成は、用紙束を送り込む用紙束送り込み部と、送り込まれた用紙束を一時載置し、綴じ処理後に搬送する搬送部と、該搬送部へ送り込まれた用紙束の先端辺が当接して停止するストッパと、用紙束の送り込み後端辺を叩いて用紙を揃えるジョガーと、叩き揃えた後用紙束を綴じるステッチャーとを備える用紙綴じ装置であって、前記ジョガーの叩き揃え動作が終わった後に、不揃い用紙がある場合、これを光線の遮断により検知する不揃い検知手段と、該不揃い検知手段が不揃いを検知したときには、その検知信号を受けて前記ステッチャーの綴じ動作を行わせないようにする制御部を具備することを特徴とする用紙綴じ装置である。
【００１６】
本発明の第３の構成は、前記第２の構成の用紙綴じ装置において、用紙束の送り込み後端辺を叩いて用紙を揃えるジョガーに代えて用紙束の送り込み方向側辺を叩いて用紙を揃えるジョガーを具備することを特徴とする用紙綴じ装置である。
【００１７】
本発明の第４の構成は、前記第１の構成又は第２の構成の用紙綴じ装置に加えて、搬送部から送り込まれて来た用紙束を受けて、その折り処理を行うときには綴じ位置を中心に２つ折りして第１の排出口へ出力し、折り処理を行わないときは第２の排出口へそのまま排出させる折り装置を有するとともに、制御部がステッチャーの綴じ動作を行わせないときには折り装置にも折り処理を行わせないようにするものであることを特徴とする用紙綴じ折り装置である。
【００１８】
本発明の第５の構成は、用紙を送り込む用紙送り込み部と、送り込まれた用紙を一時載置し、処理後に搬送する搬送部と、該搬送部へ送り込まれた用紙の先端辺が当接して停止するストッパと、用紙の送り込み後端辺を叩いて揃えるジョガーと、前記搬送部上に予め定められた枚数の用紙が積載された後にこれに孔明けをするパンチャーとを備える用紙穿孔装置であって、前記ジョガーの叩き揃え動作が終わった後に不揃い用紙がある場合、これを光線の遮断により検知する不揃い検知手段と、該不揃い検知手段が不揃いを検知したときにはその検知信号を受けて前記パンチャーの穿孔動作を行わせないようにする制御部を具備することを特徴とする用紙穿孔装置である。
【００１９】
本発明の第６の構成は、用紙束を送り込む用紙束送り込み部と、送り込まれた用紙束を一時載置し、処理後に搬送する搬送部と、該搬送部へ送り込まれた用紙束の先端辺が当接して停止するストッパと、用紙束の送り込み後端辺を叩いて用紙を揃えるジョガーと、叩き揃えた後用紙束に孔明けをするパンチャーとを備える用紙穿孔装置であって、前記ジョガーの叩き揃え動作が終わった後に、不揃い用紙がある場合、これを光線の遮断により検知する不揃い検知手段と、該不揃い検知手段が不揃いを検知したときには、その検知信号を受けて前記パンチャーの穿孔動作を行わせないようにする制御部を具備することを特徴とする用紙穿孔装置である。
【００２０】
本発明の第７の構成は、前記第６の構成の用紙穿孔装置において、用紙束の送り込み後端辺を叩いて用紙を揃えるジョガーに代えて用紙束の送り込み方向側辺を叩いて用紙を揃えるジョガーを具備することを特徴とする用紙穿孔装置である。
【発明の効果】
【００２１】
本発明の第１の構成の用紙綴じ装置は、前記のように不揃い検知手段と、該検知手段が不揃いを検知したときには、綴じ動作を行わせないようにする制御部を有しているので、用紙束の用紙が不揃いのまま綴じられることはなく無駄が生じないという効果がある。
また不揃い検知手段は、不揃いで突出している用紙が光線を遮断することにより検知する光センサ方式であるため、固定式で単純なものであり、制御部も不揃い検知信号が来れば綴じ動作をさせないというものであり、電子回路としては非常に簡単にできるものであるから、不揃いのまま綴じられないようにすることが非常に単純簡単な構成で実現できるという効果がある。
【００２２】
本発明の第２の構成の用紙綴じ装置は、用紙が第１の構成のように１枚々々送り込まれるのではなく、綴じるべき用紙が既に束になって送り込まれてくる用紙綴じ装置であるという点だけが異なるものであり、不揃い検知手段も制御部も第１の構成の場合と同じであるので、第１の構成と同じ効果がある。
【００２３】
本発明の第３の構成の用紙綴じ装置は、第１の構成および第２の構成と綴じ線の方向が９０度異なるためジョガーが叩く用紙束の辺が後端辺ではなく側辺を叩くという点が異なるのみで、不揃い検知手段も制御部も第１の構成の場合と同じであるので第１の構成と同じ効果がある。
【００２４】
本発明の第４の構成は用紙綴じ折り装置であり、第１の構成および第２の構成に加えて綴じた後の用紙を２つ折りにする折り装置を有するものである。
そして、不揃い検知手段とその設置箇所は第１、第２の構成と同じであり、不揃いが検知されたときに綴じ装置を動作させないようにする点も同じである。このとき綴じていない用紙束を折ることは無駄になることなので、不揃いが検知されたときには制御部は、折り装置をも動作させないようにする。
【００２５】
結局、不揃いが検知されたときには、綴じも折りも行わせないようにするので用紙が無駄になることはないという効果が得られ、また制御部に不揃い検出時折り装置を動作させない電子回路を設ける単純容易であるので、前記効果を簡単な構成で実現できるという効果がある。
【００２６】
本発明の第５の構成の用紙穿孔装置は、第１の構成および第２の構成におけるステッチャーをパンチに置き換えた用紙穿孔装置である。
従って、不揃いが検知されたときには用紙束に対する孔あけは行わないようになっているので、第１の構成と同様に用紙の無駄が生じないという効果が単純簡単な構成で得られるという効果がある。
【００２７】
本発明の第６の構成の用紙穿孔装置は、用紙が第５の構成のように一枚々々送り込まれてくるのではなく、孔あけすべき用紙が既に束になって送り込まれて来るという点だけが異なるものであり、不揃い検知手段も制御部も第１の構成や第５の構成と同じであるので同じ効果が得られる。
【００２８】
本発明の第７の構成の用紙穿孔装置は、第５の構成および第６の構成と孔の配列線の方向が９０度異なるため、ジョガーが叩く用紙束の辺が後端辺ではなく側辺であるという点が異なるのみで、不揃い検知手段も制御部も第５の構成の場合と同じであるので第５の構成と同じ効果がある。
【発明を実施するための最良の形態】
【００２９】
不揃い検知手段は、光ビームを発する発光ダイオードと、光を受光すると電気信号を出力する受光素子を対向させた光センサを、対向軸線が、用紙束が不揃いなくしてストッパ或いはガイド壁等に接して存在するときに、ストッパ或いはガイド壁側と反対側の辺からこれ以上の不揃い突出が許されないとする間隔位置で、光ビーム方向が用紙重なり方向になるように配置するのが最良の実施形態である。
【００３０】
そして、不揃いをなくしたい辺をジョガーで叩いているから不揃い検知手段もジョガーで叩いている辺と同じ辺に設けることとなる。実際に考えられる辺は用紙の送り込み方向で後端となる辺およびそれと直交する側辺である。
【００３１】
本発明装置においては、不揃いが検知されて、綴じ動作、綴じ折り動作、穿孔動作が停止した場合、当該用紙束を除去排出し除去排出が検知された時点から自動的に再稼働するようにするのが最良の実施形態である。
【実施例】
【００３２】
以下、本発明装置の実施例を図面を参照して説明する。
図１は本発明の第１の実施例である用紙綴じ折り装置の正面図である。
用紙は、用紙送り込み部２から送り込まれ、停止している搬送ベルト５の上を滑ってゆき先端が綴じストッパ７に当接して位置決めされて停止する。
この場合、綴じストッパ７に当接して跳ね返って後退したり、或いは既に用紙がある場合には滑りが悪く、先端が綴じストッパ７まで届かなかったりして用紙の重なりが不揃いになることが考えられるので、この不揃いを修正して揃えるために後端辺ジョガー４が設けられており、このジョガーを軸１８を支点にして用紙の後端を叩いて用紙の重なりを揃えるようにする。この叩き動作（ジョグ）は用紙１枚毎、或いは数枚毎又は１冊分の用紙枚数が送り込まれる毎に行われ所定回数或いは所定時間経過後に停止する。
【００３３】
しかし、必ず揃うとは限らない。そこで本発明では、先端辺が綴じストッパ７に当接している用紙の後端辺位置（正規位置）よりも、後端辺が後方へはみ出している場合にそのはみ出しを検知するために後端辺不揃い検知センサ３を設けている。
これは、用紙を挟んで対向する位置に光ビームを発生している発光ダイオードとこれを受光して電気信号を出力する受光素子とから構成されており、その光ビームが前記正規位置よりも僅か後方を通るように設定されている。従って、不揃い用紙があった場合には該用紙のはみ出し部分が光ビームを遮ることになり、受光素子の出力が切れることにより不揃いのあることが検知される。
【００３４】
図２は、図１の後端辺不揃い検知センサ３、後端辺ジョガー４および綴じ部を上から見た平面図である。
この実施例では、揃った用紙束１６の搬送方向長の中央２箇所をステッチャー６、６で綴じる（中綴じ）ようになっている。そして、搬送方向に向かって左右両側にも側辺ジョガー１７が設けられて左右両側方向にも用紙を揃えるようになっているが、この方向の不揃い検知センサは設けられていない。
【００３５】
図３は、図１の用紙送り込み部２、後端辺不揃い検知センサ３および後端辺ジョガー４と綴じ部において、用紙束１６中に不揃い用紙１９が存在する場合の拡大図である（ステッチャー６、６は省略されている）。
不揃い用紙１９が後端辺不揃い検知センサ３の光ビームを遮っているので不揃いが検知される。
不揃いが検知されないときには、ステッチャー６、６が動作して用紙束を綴じる。
【００３６】
綴じ動作が終わると、綴じストッパ７が軸１８を中心に回動して図１の１点鎖線で示すように下方へ退避し、搬送ベルト５が綴じられた用紙束を左方へ搬送し、折り搬送路５３へ搬送され、用紙束の先端が折りストッパ９に当接して停止すると、折りナイフ８が用紙束の綴じ線を下から突き上げて折りローラ４１の２つのローラの間へ押し込み、折りを形成する。折られた用紙束は折り後搬送路１０を経て第１の排出口からスタッカ１１へ排出される。
【００３７】
以上に対して、後端辺不揃い検知センサ３が不揃いを検知したときの動作について図４を参照しつつ説明する。
なお図４中の符号２３〜３２の各制御部、各駆動源、駆動モータは図１〜図３においては図示省略されている。
後端辺不揃い検知センサ３からの不揃い検知信号は制御部２０中の後端辺不揃い判定部２２へ送られる。
他方、後端辺ジョガー駆動制御部２３からはジョグ動作が終わったときにジョグ終了信号が送られる。
【００３８】
前記後端辺不揃い判定部２２は、このジョグ終了信号を受けた後、後端辺不揃い検知センサ３からの検知信号が不揃いを示すものであるか否かを判定する。そして、不揃いであると判定したときには該判定部２２は、不揃い信号をステッチャー駆動制御部２４、折りストッパ駆動制御部２５、折りナイフ駆動制御部２６、各搬送ベルト駆動制御部２７へ送る。不揃い信号を受けたこれら各駆動制御部２４〜２７は、ステッチャー駆動源２９、折りストッパ駆動源３０、折りナイフ駆動源３１がステッチャー６、折りストッパ９および折りナイフ８を駆動しないようにするとともに、各搬送ベルト駆動モータのうち、折り搬送路５３および非綴じ折り搬送路２１の駆動モータは回転させ、折り後搬送路１０の駆動モータは回転させないようにする。
【００３９】
以上により、不揃いが検知された用紙束はステッチャー６、６で綴じられることなく、搬送ベルト５で搬送され、折り搬送路５３へ入るが折り処理を受けることなく、非綴じ折り搬送路２１およびガイド１２を経て第２の排出口１５から非綴じ折り用紙排出台１３へ排出される。
【００４０】
かくして、搬送ベルト５上でよく揃わなかった用紙束は、綴じず、折らずそのまま非綴じ折り用紙排出口１３へ出て来るので、これを再び用紙送り込み部２から送り込むようにすることにより再利用が可能になるという効果がある。
【００４１】
図５の（ａ）は、本発明の第２の実施例である用紙綴じ装置の正面図である。
この実施例は、用紙搬送方向に向かって右側辺寄りの位置で綴じる側辺片綴じの用紙綴じ装置である。そのため側辺を揃えるようにするため、後端不揃い検知センサ３の他に側辺不揃い検知センサ３３が設けられている。
【００４２】
図６は、図５の（ａ）のＡ−Ａ断面図である。
これによれば、搬送底面３６の右側に側辺ストッパ５４があり、左側に側辺ジョガー１７が設けられている。そしてステッチャー６は紙面の垂直方向に間隔を置いて２個設けられている。
用紙束の揃え動作は、搬送方向については図５に示すように、用紙束１６の用紙の先端を綴じストッパ７に当接させるように、後端辺ジョガー４で叩き動作を行い、不揃い検知は、後端辺不揃い検知センサ３で検知する。
【００４３】
図５の（ｂ）は、後端辺ジョガー４が退避したときに不揃い用紙１９を検知する状況を示す図である。
搬送方向と直交する方向については、図６の（ａ）に示すように、用紙束１６の右側辺を側辺ストッパに当接させるように、左側辺を側辺ジョガー１７で叩いて揃えるようにし、不揃い検知は左辺側に設けた側辺不揃い検知センサ３３によって行うようになっている。側辺ジョガーの底部には側辺不揃い検知センサの光ビームが通過できるように光ビーム孔５５が設けられている。
図６の（ｂ）は不揃い用紙１９を、光ビーム孔５５を通して検知する状況を示す図である。
【００４４】
本実施例装置においては、用紙送り込み部２から用紙束が送り込まれ、後端辺ジョガー４および側辺ジョガー１７の叩き揃え動作が終わった後、後端辺不揃い検知センサ３および側辺不揃い検知センサ３３が不揃いを検知しない場合には、ステッチャー６、６が用紙束の右辺寄りの２箇所を綴じると綴じストッパ７（図５）が軸１８を中心にして下方へ回動退避するとともに、搬送ベルト５が綴じられた用紙束１６を左方へ搬送し排出口３４から用紙蓄積部３５へ排出する。
これに対して、後端辺不揃い検知センサ３および側辺不揃い検知センサ３３のいずれか一方でも不揃いを検知した場合には綴じ動作を行わせないで排出する。
【００４５】
図７はジョガーの駆動制御および綴じ動作の禁止を行わせる手段構成のブロック図である。
後端辺不揃い検知センサ３および側辺不揃い検知センサ３３からの検知信号は、それぞれ制御部３７の後端辺不揃い判定部２２および側辺不揃い判定部３８へ送られる。また、各判定部２２および３８へは、後端辺ジョガー駆動制御部２３および側辺ジョガー駆動制御部３９からジョグ動作の終了を示すジョグ終了信号が送られている。各判定部２２および３８はジョグ終了信号を受けてから各検知センサからの信号について不揃いであるか否かを判定し、不揃いであった場合には不揃い信号をステッチャー駆動制御部２４へ送り、不揃い信号を受けたステッチャー駆動制御部２４はいずれからの不揃い信号であっても、ステッチャー駆動源２９がステッチャー６を駆動させないようにする。
【００４６】
そして、図５の綴じストッパ７を軸１８を回動中心として下方へ退避させ、搬送ベルト５によって排出口３４の方へ搬送し、用紙蓄積部３５へ排出させる。
排出された用紙束は綴じられていないので、再度用紙送り込み部２から送り込み再利用が可能となる。
【００４７】
以上、第１の実施例は、中綴じ処理とその綴じ線に対する折り処理の２つの処理を行う用紙綴じ折り装置であるが、折り処理を行わない綴じ処理のみの装置であってもよい。その場合、排出口は綴じを行ったものと行わないものにつき別々にしてもよいし、１つであってもよい。
【００４８】
第２の実施例は、側辺片綴じの用紙綴じ装置で不揃い検知センサは後端辺と側辺の両方にあるが側辺のみであってもよい。
また、排出口についても綴じを行ったものと行わなかったものにつき別々にしてもよいし、１つであってもよい。
【００４９】
第１の実施例および第２の実施例はそれぞれ綴じ折り、綴じを行うものであるが、この綴じ処理に代えて穿孔処理を行わせることもできる。
穿孔処理についても、用紙の送り方向に向かって左右いずれかの側辺寄りに辺に沿って複数の孔をあける場合と、用紙送り方向の先端辺或いは後端辺寄りに辺に沿って複数の孔をあける場合がある。
そして、側辺に沿って孔あけする場合には、側辺ジョガーと側辺不揃い検知センサを設け、先端辺或いは後端辺に沿って孔あけする場合には、後端辺ジョガーと後端辺不揃い検知センサを設ける。
【００５０】
勿論、前者の場合において、後端辺ジョガーおよび後端辺不揃い検知センサをも設け、後者の場合に側辺ジョガーおよび側辺不揃い検知センサをも設け、用紙の縦横の揃いを一層確実にすることも行われる。
なお、孔あけ後に折り処理を行うことは少ない。
【図面の簡単な説明】
【００５１】
【図１】本発明の第１の実施例の用紙綴じ折り装置の正面図である。
【図２】図１の後端辺不揃い検知センサ、後端辺ジョガーおよび綴じ部を上から見た平面図である。
【図３】図１の用紙送り込み部、後端辺ジョガーおよび後端辺不揃い検知センサと、綴じ部において用紙束の中に不揃い用紙が存在しこれを検知する場合の拡大図である。
【図４】用紙束の後端辺が不揃いの場合に、綴じ処理も折り処理も行わないようにするための手段の構成ブロック図である。
【図５】本発明の第２の実施例の用紙綴じ装置の正面図である。
【図６】図５の（ａ）のＡ−Ａ断面図である。
【図７】図５の実施例において、用紙束の後端辺、側辺のいずれが不揃いになっても綴じ処理を行わないようにするための手段の構成ブロック図である。
【図８】従来の用紙束の折り装置において、用紙束の用紙の重なりが揃っていない場合に、この不揃いを検知して折り処理を行わせないようにした例の手段構成図である。
【符号の説明】
【００５２】
１  用紙綴じ折り装置
２  用紙送り込み部
３  後端辺不揃い検知センサ
４  後端辺ジョガー
５  搬送ベルト
６  ステッチャー
７  綴じストッパ
８  折りナイフ
９  折りストッパ
１０  折り後搬送路
１１  スタッカ
１２  ガイド
１３  非綴じ折り用紙排出台
１４  第１の排出口
１５  第２の排出口
１６  用紙束
１７  側辺ジョガー
１８  軸
１９  不揃い用紙
２０  制御部
２１  非綴じ折り搬送路
２２  後端辺不揃い判定部
２３  後端辺ジョガー駆動制御部
２４  ステッチャー駆動制御部
２５  折りストッパ駆動制御部
２６  折りナイフ駆動制御部
２７  各搬送ベルト駆動制御部
２８  後端辺ジョガー駆動源
２９  ステッチャー駆動源
３０  折りストッパ駆動源
３１  折りナイフ駆動源
３２  各搬送ベルト駆動モータ
３３  側辺不揃い検知センサ
３４  排出口
３５  用紙蓄積部
３６  搬送底面
３７  制御部
３８  側辺不揃い判定部
３９  側辺ジョガー駆動制御部
４０  側辺ジョガー駆動源
４１  折りローラ
４２  搬送ベルト
４３  搬送ベルト
４４  位置決めストッパ
４５  ストッパ送りねじ
４６  ストッパ移動用モータ
４７  用紙検出器
４８  検出器送りねじ
４９  検出器移動用モータ
５０  搬送ローラ
５１  搬送ローラ移動ベルト
５２  搬送ローラ移動用モータ
５３  折り搬送路
５４  側辺ストッパ
５５  光ビーム孔
【図１】
2010076870.tif 000003
【図２】
2010076870.tif 000004
【図３】
2010076870.tif 000005
【図４】
2010076870.tif 000006
【図５】
2010076870.tif 000007
【図６】
2010076870.tif 000008
【図７】
2010076870.tif 000009
【図８】
2010076870.tif 000010